(57)【要約】【課題】上部ピボット軸を抜け止め状態で支持具の軸受穴に確実に枢着して開き扉を扉枠に軸釣する軸釣装置の上吊り金具を提供する。【解決手段】上吊り金具Ａ２は、頭部４４ａが支持具３０の軸受穴３５に嵌合する一方、首部４４ｂは抜け止め具５０の下面５０ａの係止溝６０に係止して上部ピボット軸４５を抜け止め状態で支持具に枢着するために、抜け止め具５０を支持具の支持板部３０ｂに装着するときに係止溝には、上部ピボット軸の頭部ではなく首部にのみ係合するように、上部ピボット軸の頭部の軸径Ｈと、首部の軸径をＮと、抜け止め具の係止溝の溝幅Ｗは、  Ｈ＞Ｗ≧Ｎ  となるように構成する。【選択図】          図１
2012132150.tif 000002
【特許請求の範囲】
【請求項１】
上下のヒンジ部に備えたピボット軸を支点として扉枠に開き扉を回動可能に軸釣する軸釣装置の前記上ヒンジ部を構成する上吊り金具であって、先端に有する頭部と首部との間の外周に抜け止め顎部を突設した上部ピボット軸を、弾発付勢して開き扉の上端に埋設した軸筒に進退自在に挿設し先端が突出した状態で把持する開き扉側の枢着具と、該枢着具と対応する前記扉枠に固定する支持具とからなり、該支持具に有した軸受穴に前記頭部を嵌合して開き扉を扉枠に軸釣するとき、前記支持具に抜け止め具を装着して該抜け止め具に有した係止溝に前記首部を係止し、前記抜け止め顎部を前記支持具と前記抜け止め具間に挟んで前記上部ピボット軸を抜け止めする軸釣装置の上吊り金具において、
前記上部ピボット軸の頭部の軸径をＨ、首部の軸径をＮ、前記抜け止め具の係止溝の溝幅をＷとした場合に、Ｈ＞Ｗ≧Ｎとしてなることを特徴とする、軸釣装置の上吊り金具。
【請求項２】
前記支持具は、前記扉枠に固定する取付板部と先端に前記軸受穴を開けた支持板部とでＬ形に形成し、該支持板部の上面に先端側から前記取付板部側に向うに従い漸次幅広になるストッパ部を凸設する一方、前記抜け止め具は、前記支持具の支持板部の外形状に合わせて扁平なキャップ状に形成し、下面に前記上部ピボット軸の首部が係止する前記係止溝を設ける一方、上面の該係止溝と対応する位置に、前記支持板部に装着するときに前記ストッパ部が係合する外れ止め溝を設け、該外れ止め溝の入口側の溝幅Ｗ´を前記上部ピボット軸の首部の軸径Ｎより小さくしてなることを特徴とする、請求項１に記載の軸釣装置の上吊り金具。
【発明の詳細な説明】
【技術分野】
【０００１】
本発明は、上下ヒンジ部に備えたピボット軸を支点として開き扉を扉枠に回動可能に軸釣する軸釣装置において、特に、上ヒンジ部を構成する上吊り金具に関する。
【背景技術】
【０００２】
従来、開き扉用のヒンジ装置の中には、目立たずに装着され見栄えが良いことから、上下のヒンジ部に備えたピボット軸で開き扉を枢支して回動可能に扉枠の上下隅部に吊り込む所謂ピボットヒンジ型の軸釣装置が多くなっている。
【０００３】
しかし、この種の軸釣装置には、扉枠の天井側上枠部と、開き扉との間に隙間が少ない場合、開き扉を扉枠に吊り込むときに、上向きに突出する上ヒンジ部のピボット軸が障害になって、開き扉を吊り込み難く、隙間の狭さによっては、吊り込み不能な場合があるなどの問題があった。
【０００４】
そこで、従来の軸釣装置の中には、そのような問題を解決すべく、上ヒンジ部を構成する上吊り金具を改良したピボットヒンジ型の軸釣装置が提案されている。この従来の軸釣装置の上吊り金具は、例えば図１３に示すように、軸先端１に有する頭部１ａと首部１ｂとの間の外周に鍔状の抜け止め顎部１ｃを環状に突設した上部ピボット軸ｐを、開き扉ｄの上端に埋設した軸筒２内に嵌挿し、付勢ばね３で弾発付勢して先端１が突出した状態で進退自在に把持する開き扉側の枢着具ａと、扉枠ｆの袖パネルに固定する取付板部４ａに対し水平に突出した支持板部４ｂに軸受穴５を設けたアングル材の支持具ｂとで構成し、開き扉ｄを扉枠ｆに吊り込むとき、上部ピボット軸ｐの先端１を付勢ばね３に抗して押えて、いったん引っ込めてから、付勢ばね３の付勢力で突出する上部ピボット軸１の頭部１ａを支持具ｂの軸受穴５に嵌合させることにより、開き扉ｄの建て付け箇所が開き扉ｄと上枠部との間に殆んど隙間がなくても開き扉ｄを扉枠ｆに軸釣することができ、しかも、そのとき、図１４に示すように、支持具ｂの支持板部４ｂに扁平なキャップ状の抜け止め具６を装着し、抜け止め具６の係止溝６ａに上部ピボット軸ｐの首部１ｂを係止して抜け止め顎部１ｃを抜け止め具６の下面と支持板部４ｂ間で挟んで上部ピボット軸ｐを抜け止めするようになっている。
【先行技術文献】
【特許文献】
【０００５】
【特許文献１】特開２００８−１２７７４０号公報
【発明の概要】
【発明が解決しようとする課題】
【０００６】
ところが、従来、上述のような軸釣装置の上吊り金具は、開き扉ｄの吊り込み時、抜け止め具６の係止溝６ａに首部１ｂを係止して上部ピボット軸ｐを抜け止めできるように、抜け止め具６は、係止溝６ａの溝幅ｗを、係止溝６ａに上部ピボット軸ｐの首部１ｂが係止可能な大きさに形成するが、上部ピボット軸ｐは、頭部１ａも首部１ｂと同じ軸径ｅなので、図１５に示すように、支持具ｂの軸受穴５に頭部１ａの一部しか嵌合していない嵌合不全の状態にあっても、抜け止め具６を支持具ｂの支持板部４ｂに装着すると、誤って頭部１ａが係止溝６ａに係止されるため、抜け止め不全の状態で支持具ｂの軸受穴５に頭部１ａの一部が嵌合した上部ピボット軸ｐによって開き扉ｄを枢支して軸釣しまうことがある。すると、従来、上吊り金具は、通常、見え難い高所に位置するため、作業者は上部ピボット軸ｐが抜け止め不全の状態で支持具ｂに枢着されていることに気付かず、開き扉ｄが衝撃で振動したりすると、上部ピボット軸ｐがズレ動いて支持具ｂの軸受穴５との嵌め合いが外れて開き扉ｄが扉枠ｆから落ちてしまうという課題があった
【０００７】
そこで、本発明の目的は、上部ピボット軸を抜け止め状態で支持具の軸受穴に確実に枢着して開き扉を扉枠に軸釣する軸釣装置の上吊り金具を提供することにある。
【課題を解決するための手段】
【０００８】
そこで、請求項１に記載の発明は、たとえば以下に示す図示実施の形態のとおり、上下のヒンジ部に備えたピボット軸１５・４５を支点として扉枠Ｆに開き扉Ｄを回動可能に軸釣する軸釣装置Ａの前記上ヒンジ部を構成する上吊り金具Ａ２であって、先端４４に有する頭部４４ａと首部４４ｂとの間の外周に抜け止め顎部４４ｃを突設した上部ピボット軸４５を、弾発付勢して開き扉Ｄの上端に埋設した軸筒３９に進退自在に挿設し先端４４が突出した状態で把持する開き扉側の枢着具４０と、該枢着具４０と対応する前記扉枠Ｆに固定する支持具３０とからなり、該支持具３０に有した軸受穴３５に前記頭部４４ａを嵌合して開き扉Ｄを扉枠Ｆに軸釣するとき、前記支持具３０に抜け止め具５０を装着して該抜け止め具５０に有した係止溝６０に前記首部４４ｂを係止し、前記抜け止め顎部４４ｃを前記支持具３０と前記抜け止め具５０間に挟んで前記上部ピボット軸４５を抜け止めする軸釣装置Ａの上吊り金具Ａ２において、前記上部ピボット軸４５の頭部４４ａの軸径をＨ、首部４４ｂの軸径をＮ、前記抜け止め具５０の係止溝６０の溝幅をＷとした場合に、Ｈ＞Ｗ≧Ｎとしてなることを特徴とする。
【０００９】
請求項２に記載の発明は、請求項１に記載の軸釣装置の上吊り金具において、たとえば以下に示す図示実施の形態のとおり、前記支持具３０は、前記扉枠Ｆに固定する取付板部３０ａと先端に前記軸受穴３５を開けた支持板部３０ｂとでＬ形に形成し、該支持板部３０ｂの上面に先端側から前記取付板部側に向うに従い漸次幅広になるストッパ部３３を凸設する一方、前記抜け止め具５０は、前記支持具３０の支持板部３０ｂの外形状に合わせて扁平なキャップ状に形成し、下面５０ａに前記上部ピボット軸４５の首部４４ｂが係止する前記係止溝６０を設ける一方、上面５０ｂの該係止溝６０と対応する位置に、前記支持板部３０ｂに装着するときに前記ストッパ部３３が係合する外れ止め溝６５を設け、該外れ止め溝６５の入口側の溝幅Ｗ´を前記上部ピボット軸４５の首部４４ｂの軸径Ｎより小さくしてなることを特徴とする。
【発明の効果】
【００１０】
請求項１に記載の発明によれば、開き扉の吊り込み時、支持具の軸受穴に頭部の僅か一部しか嵌合していない嵌合不全の状態にあるのに、抜け止め具を支持具の支持板部に装着しようとしても、抜け止め具の係止溝の溝幅Ｗは、上部ピボット軸の頭部の軸径Ｈと、首部の軸径Ｎと、Ｈ＞Ｗ≧Ｎの関係にあり、少なくとも上部ピボット軸の頭部より小さいことから、頭部を係止溝に係合できないため、作業者は、上部ピボット軸が支持具の軸受穴に嵌合不全の状態であることに気付くことができ、その結果、この吊り込みミスが原因で上部ピボット軸と支持具の軸受穴の嵌め合いが外れて開き扉が扉枠から落下するなどの不具合の発生を未然に防止することができる。
【００１１】
請求項２に記載の発明によれば、開き扉の吊り込み時、頭部を支持具の軸受穴に嵌合させてから抜け止め具を支持具の支持板部に装着して上部ピボット軸を抜け止めするときに、たとえ誤って下面と上面とを逆向きに装着しようとしても、上部ピボット軸の首部には、上面の外れ止め溝ではなく下面の係止溝が係合するように、抜け止め具の外れ止め溝の入口側の溝幅は、上部ピボット軸の首部の軸径より小さいことから、外れ止め溝に首部を係合できないため、作業者は、抜け止め具が外れ止め溝に支持板部上のストッパ部が係合した外れ止め状態で支持板部に装着していないミスに気付くことができ、その結果、開き扉が衝撃で振動したりすると、この装着ミスが原因で、抜け止め具が支持具の支持板部から外れるのを未然に防止することができる。
【図面の簡単な説明】
【００１２】
【図１】（ａ）は本発明に係る軸釣装置の上吊り金具で開き扉を扉枠に吊り込んだ状態を示す線Ｘ−Ｘ断面図、（ｂ）はその縦断面図、（ｃ）は抜け止め具の底面図である。
【図２】軸釣装置の下吊り金具を示す分解斜視図である。
【図３】下吊り金具を示す組立斜視図である。
【図４】下吊り金具を示す正面図である。
【図５】上吊り金具を示す分解斜視図である。
【図６】上部ピボット軸を示す正面図である。
【図７】支持具と枢着具と抜け止め具を示す組立斜視図である。
【図８】支持具と枢着具と抜け止め具を示す正面図である。
【図９】（ａ）は抜け止め具の斜視図、（ｂ）は抜け止め具を上下反転させて示す斜視図、（ｃ）は抜け止め具の平面図、（ｄ）は抜け止め具の底面図である。
【図１０】軸釣装置で開き扉を扉枠に吊り込んだ状態を示す扉周りの正面図である。
【図１１】軸釣装置で開き扉を扉枠に吊り込んだ状態を示す扉周りの斜視図である。
【図１２】（ａ）は上吊り金具で開き扉を扉枠に軸釣する途中の状態を示す線Ｙ−Ｙ断面図、（ｂ）はその扉周りの縦断面図である。
【図１３】従来の軸釣装置の上吊り金具で開き扉を扉枠に軸釣した状態を示す扉周りの縦断面図である。
【図１４】（ａ）は図１３中線ｘ−ｘ断面図、（ｂ）従来の抜け止め具を示す底面図である。
【図１５】（ａ）は従来の上吊り金具で開き扉を扉枠に軸釣する際に誤ってピボット軸頭部に抜け止め具の係止溝を通した状態を示す線ｙ−ｙ断面図、（ｂ）はその扉周りの縦断面図である。
【発明を実施するための形態】
【００１３】
以下、図面を参照しつつ、本発明の実施の最良形態について説明する。
【００１４】
図１０は、本発明に係る軸釣装置で開き扉を扉枠に吊り込んだ状態を示す扉周りの正面図、図１１は斜視図である。図中符号Ａは一対の上下ヒンジ部を備えたピボットヒンジ型の軸釣装置、Ｄは開き扉、Ｆは開き扉Ｄを支持する扉枠である。軸釣装置Ａは、下ヒンジ部としての下吊り金具Ａ１と、上ヒンジ部としての本発明に係る上吊り金具Ａ２とからなり、開き扉Ｄと扉枠Ｆとの下部側を下吊り金具Ａ１で、上部側を上吊り金具Ａ２でそれぞれ軸釣して開き扉Ｄを扉枠Ｆに回動可能に吊り込む構成になっている。
【００１５】
軸釣装置Ａの下吊り金具Ａ１は、扉枠Ｆの片側袖パネル１０の木口下端にねじ止めする支持具１１と、支持具１１に枢着する枢着具１２とからなる。支持具１１は、図２および図３に示すように、Ｌ型に屈曲して取付板部１１ａと支持板部１１ｂからなるアングル材で、支持板部１１ｂの先端寄りに軸穴１３を設け、下部ピボット軸１５と、下側カム１６と、ガイド板１９と、軸固定具２０を備え、枢着具１２は、上側カム１７と、扉取付部材１８とからなる。
【００１６】
下側カム１６は、筒状体１６ａの上端に、外層・内層のダブル山形カム部の各傾斜カム面２１・２２を上向きに形成し、筒状体１６ａの底面に軸芯を中心として放射状で等間隔に複数個の楔状凹溝２３を下向きに形成している。上側カム１７は、筒状体１７ａの下端に、外層・内層のダブル山形カム部の各傾斜カム面を下向きに形成している。ガイド板１９は、円盤部１９ａの表面に軸芯を中心として放射状で等間隔に楔状凹溝２３と嵌合可能な同数の楔状突起２６を設け、下側カム１６の楔状凹溝２３とで第１段階の調整手段が形成される。図示例では、楔状凹溝２３と楔状突起２６とは、それぞれ１８個で、隣り合うものとの中心角α＝２０度に設定している。従って、下吊り金具Ａ１では、支持具１１の支持板部１１ｂの前後中心を結んだ直線すなわち全閉位置にある扉面の方向を基準線Ｓとすると、基準線Ｓと傾斜カム面２１・２２の各頂部を結んだ線とがなす変位角βを調整する第１段階の調整手段によれば、楔状凹溝２３と楔状突起２６とを１ピッチ（α＝２０度）づつずらして嵌合すれば、変位角βが２０度の単位で、20、40、60、80、100、120…度と調整される。
【００１７】
更に、ガイド板１９には、円盤部１９ａの裏面外周に軸芯を中心にして周方向に９０度の間隔をおいて係合凹部２７を設ける一方、支持具１１の支持板部１１ｂの先端縁には、基準線Ｓ上に係合凹部２７に係合可能な係合突起２８を凸設している。他方、軸固定具２０は、支持具１１の支持板部１１ｂに装着できるように扁平なキャップ状につくり、底面中心に突出する軸受凸部２０ａを中心として対称な位置にガイド板１９の係合凹部２７が係合する一対の位置決め突起２０ｂを下向きに凸設し、支持板部１１ｂ上の係合突起２８とガイド板１９の係合凹部２７とで第２段階の調整手段を形成する。
【００１８】
下吊り金具Ａ１は、支持具１１の係合突起２８をガイド板１９の係合凹部２７に係合し軸穴１３に中心穴２９を合わせて支持板部１１ｂ上にガイド板１９を重ね合わせて定置し、傾斜カム面の各頂部を基準線Ｓに合わせてガイド板１９の楔状突起２６と下側カム１６の楔状凹溝２３を嵌合してから、下部ピボット軸１５を軸穴１３、中心穴２９・２４と順次挿通させ、軸先端が下側カム１６から突出した状態で支持板部１１ｂ上に立設し、下側カム１６を、楔状突起２６と楔状凹溝２３の嵌め合いで軸芯回りに回動不能とし、傾斜カム面２１・２２が上向きに固定される。他方、上側カム１７を、傾斜カム面を下向きにして扉取付部材１８の円筒状をなすカムキャップ１４に嵌着してから、カムキャップ１４を取付プレート３１に固定する。それから、支持具１１は、取付板部１１ａを片側袖パネル１０の木口下端にねじ止めする一方、枢着具１２は、上側カム１７の傾斜カム面を下向きに臨ませた状態でカムキャップ１４を開き扉Ｄの下端の吊元側に埋め込んで取付プレート３１をねじ止めする。次いで、下部ピボット軸１５を軸穴１３に通して支持具１１の支持板部１１ｂ上に立ててから、下側カム１６と上側カム１７の中心穴に挿通して各傾斜カム面を向い合わせた接触状態にし、これにより、上部カム１７を、下部ピボット軸１５周りに回動可能に且つ傾斜カム面２１・２２に案内されて上下動可能に保持し、図３および図４に示すように下吊り金具Ａ１が組み立てられる。
【００１９】
従って、下吊り金具Ａ１では、傾斜カム面頂部の変位角βを調整する第１段階の調整手段によれば、楔状凹溝２３と楔状突起２６とを１ピッチ（α＝２０度）づつずらして嵌合すれば、変位角βが２０度の単位で、20、40、60、80、100、120…度と調整される。また、ガイド板１９の係合凹部２７を、基準線Ｓ上にある支持具１１の係合突起２８に係合させた状態から、同じ基準線Ｓと直交する方向の対称位置にある一対の位置決め突起２０ｂ・２０ｂに係合させて変位角βを調整するようになっている。従って、傾斜カム面頂部の変位角βの第２段階の調整手段によれば、ガイド板１９の係合凹部２７に、９０度づつずらした方向の突起に選択的に係合させれば、楔状突起２６に対して楔状凹溝２３が1／2ピッチ（α＝±10度）ずれて調整される。以って、下吊り金具Ａ１は、楔状突起２６に対する楔状凹溝２３の嵌合位置の選択と、ガイド板１９の係合凹部２７の支持具１１と軸固定具２０に設ける突起２８・２０ｂ・２０ｂに対する係合角度位置の選択と、を組み合わせてする２段階調整によって傾斜カム面頂部の変位角βを細かいピッチで微調整し、これにより、部品交換を要せずに開き扉Ｄの閉位置、開位置を容易に微調整できるようになっている。
【００２０】
さて、本発明の上吊り金具Ａ２は、図１０および図１１に示すように、扉枠Ｆの側に組み付ける支持具３０と、開き扉Ｄの側に組み付ける枢着具４０と、枢着具４０の抜け止め具５０とからなる。
【００２１】
支持具３０は、図５に示すように、Ｌ型に屈曲して複数のねじ穴をあけた取付板部３０ａと支持板部３０ｂからなるアングル材で、支持板部３０ｂに回り止め穴３２を設けると共に支持板部３０ｂの上面の回り止め穴３２と取付板部３０ａ間にストッパ部３３を一段高く隆起させて設けてなる。回り止め穴３２には、丸い軸受穴３５を開けた滑りやすい樹脂製の軸受部材２４を嵌め込む。ストッパ部３３は、先端側から取付板部３０ａ側に向うに従い漸次幅広に形成する。以って、支持具３０は、図１に示すように、取付板部３０ａを片側袖パネル１０の木口下端にねじ止めして支持板部３０ｂを水平な横向きに突設する。
【００２２】
枢着具４０は、図５に示すように、上部ピボット軸４５と、上部ピボット軸４５を把持する軸筒３９と、上部ピボット軸４５を弾発付勢する圧縮コイルばねの付勢ばね５５を備える。
【００２３】
上部ピボット軸４５は、金属製で、図６でも示すように、細長い円柱状をなし、円柱部４５ａの先端４４を、支持具３０の軸受穴３５に嵌合させる最も突端の頭部４４ａと、軸径Ｎを頭部４４ａより一段細径に形成した首部４４ｂと、頭部４４ａと首部４４ｂ間の抜け止め顎部４４ｃとで形成する。従って、頭部４４ａは、軸径Ｈを、支持具３０の軸受穴３５に嵌合可能に軸受穴３５の穴径と略同径に形成する。抜け止め顎部４４ｃは、頭部４４ａと首部４４ｂ間の先端４４外周において、より外縁に向うに従い薄くなる勾配ｋの付いた鍔状に突設してなる。
【００２４】
軸筒３９は、図５に示すように、樹脂製の軸筒本体４１と金属製の取付プレート４２とからなる。軸筒本体４１は、上端に開口４３を開けた有底の円筒部４１ａと円筒部４１ａの上端から直交する横向きに延びるやや細長で浅底なケース部４１ｂとからなる。取付プレート４２は、開き扉Ｄの上端面に合わせてやや細長く一端側に複数のねじ挿通穴をあけた金属板で、外周縁が円弧状をなす他端側に軸筒本体４１の開口４３に対応させて丸穴４６を設けると共に、丸穴４６の周りに位置決め用の穴４７と切欠き４８を設ける。軸筒本体４１のケース部４１ｂは、取付プレート４２に対応させて一端側に複数のねじ挿通穴を設け、外周縁が円弧状をなす他端側に開いた開口４３の周りに複数の位置決め用の突起５１を凸設している。
【００２５】
そこで、枢着具４０は、軸筒３９の円筒部４１ａ内に付勢ばね５５を、コイル下端をばね掛けに掛け止めて嵌装する。一方、上部ピボット軸４５には、円柱部４５ａの基端外周に有する環状細溝４５ｂに止め輪５２とワッシャ５３を巻装する。次いで、円柱部４５ａの基端を開口４３から入れて上部ピボット軸４５を軸筒３９の円筒部４１ａに嵌挿してから、開口４３の周りの位置決め用突起５１を位置決め用穴４７と切欠き４８に嵌め込んで取付プレート４２を軸筒本体４１のケース部４１ｂに嵌着する。それから、取付プレート４２の丸穴４６に、上部ピボット軸４５の円柱部４５ａに合わせて軸挿通穴５４を開けた樹脂製の筒状軸受管２５を嵌め込む。以って、枢着具４０は、上部ピボット軸４５を付勢ばね５５で弾発付勢し、図７および図８に示すように、先端４４が軸筒３９の軸挿通穴５４から突出した状態で進退自在に把持して組み立てられてなる。
【００２６】
抜け止め具５０は、金属薄板を曲げて、支持具３０の支持板部３０ｂの外形状に合わせて片側が円弧状をなす扁平なキャップ状に形成し、図９でも示すように、下面５０ａに上部ピボット軸４５の首部４４ｂが係止する係止溝６０を設ける一方、上面５０ｂには、係止溝６０と対応する位置に外れ止め溝６５を設けてなる。係止溝６０は、下面５０ａを、幅Ｗを有する細長いＵ形溝に切り欠いて形成してなる。そして、下面５０ａには、係止溝６０の両側に、上面５０ｂ側に向けて板ばね片５９を曲げ起して設けてなる。外れ止め溝６５は、その入口側の溝幅Ｗ´を幅狭に形成し、さらに奥側にテーパ溝部６５ａを介して一段幅広な掛け止め溝部６５ｂを設けてなる。テーパ溝部６５ａは、掛け止め溝部６５ｂに向うに従い次第に拡径となるテーパを付けてなる。
【００２７】
上吊り金具Ａ２において、上述した構造の枢着具４０は、図１に示すように、開き扉Ｄの上端面の吊元寄りに予め穿設した取付穴７０に軸筒３９の円筒部４１ａを嵌め込み、取付プレート４２を上端面にねじ止めして開き扉Ｄに組み込む。
【００２８】
さて、軸釣装置Ａで開き扉Ｄを扉枠Ｆに吊り込む場合は、開き扉Ｄを持ち上げて、下吊り金具Ａ１の支持具１１の下部ピボット軸１５に、枢着具１２の上側カム１７の軸受穴１７ｂを嵌合し、下吊り金具Ａ１で開き扉Ｄを回動可能に片側袖パネル１０の木口下端に軸釣する。それから、上吊り金具Ａ２の支持具３０の軸受穴３５に枢着具４０の上部ピボット軸４５の頭部４４ａを嵌合し、上吊り金具Ａ２で開き扉Ｄを回動可能に片側袖パネル１０の木口上端に軸釣する。
【００２９】
そのように上吊り金具Ａ２で開き扉Ｄを片側袖パネル１０の木口上端に軸釣するとき、軸釣装置Ａでは、上部ピボット軸４５の頭部４４ａを付勢ばね５５に抗して押し下げ、邪魔にならないように、いったん軸筒３９の円筒部４１ａ内に引っ込めてから、頭部４４ａが支持具３０の軸受穴３５の真下に至ったとき、頭部４４ａから掛けた指を外すと、付勢ばね５５の付勢力で上部ピボット軸４５が自動的に突出し、パチンという嵌着成功のクリック音を立てながら、支持具３０の軸受穴３５に嵌合する。しかる後、支持具３０の支持板部３０ｂを下面５０ａと上面５０ｂ間に差し込むように、支持板部３０ｂに抜け止め具５０を装着し、抜け止め具５０の下面５０ａの係止溝６０に上部ピボット軸４５の首部４４ｂを係止して抜け止め顎部４４ｃを抜け止め具５０の下面５０ａと支持具３０の支持板部３０ｂ間で挟んで上部ピボット軸４５を抜け止めする。それと同時に、抜け止め具５０の上面５０ｂでは、支持板部３０ｂのストッパ部３３に当たって外れ止め溝６５の入口側が押し開かれ、掛け止め溝部６５ｂにストッパ部３３が係合し、テーパ溝部６５ａで抜け止め具４５を外れ止めして支持具３０の支持板部３０ｂに装着する。以って、上吊り金具Ａ２は、支持具３０のストッパ部３３を上面５０ｂの外れ止め溝６５に係合して抜け止め具５０を外れ止めし、下面５０ａの係止溝６０に上部ピボット軸４５の首部４４ｂを係合させて上部ピボット軸４５を抜け止め状態にして枢着具４０で支持具３０に枢着する。
【００３０】
そこで、上吊り金具Ａ２では、頭部４４ａは支持具３０の軸受穴３５に嵌合する一方、首部４４ｂは抜け止め具５０の下面５０ａの係止溝６０に係止して上部ピボット軸４５を抜け止め状態で支持具３０に枢着するために、抜け止め具５０を支持板部３０ｂに装着するときに係止溝６０には、上部ピボット軸４５の頭部４４ａではなく首部４４ｂにのみ係合するように、上部ピボット軸４５の頭部４４ａの軸径Ｈと、首部４４ｂの軸径をＮと、抜け止め具５０の係止溝６０の溝幅Ｗは、  Ｈ＞Ｗ≧Ｎ  となるように構成されている。
【００３１】
更に、上吊り金具Ａ２では、抜け止め具５０を支持板部３０ｂに装着するときに、上部ピボット軸４５の首部４４ｂには、上面５０ｂの外れ止め溝６５ではなく下面５０ａの係止溝６０が係合するように、抜け止め具５０の外れ止め溝６５の入口側の溝幅をＷ´とした場合、上部ピボット軸４５の首部４４ｂの軸径Ｎとが、  Ｗ´＜Ｎ  となるように構成されている。
【００３２】
従って、上述のような構成の上吊り金具Ａ２では、開き扉Ｄの吊り込み時、図１２に示すように、支持具３０の軸受穴３５に頭部４４ａの僅か一部しか嵌合していない嵌合不全の状態にあるのに、抜け止め具５０を支持具３０の支持板部３０ｂに装着しようとしても、抜け止め具５０の係止溝６０の溝幅Ｗは、上部ピボット軸４５の頭部４４ａの軸径Ｈと、首部４４ｂの軸径Ｎと、Ｈ＞Ｗ≧Ｎの関係にあり、少なくとも上部ピボット軸４５の頭部４４ａより小さいことから、頭部４４ａを係止溝６０に係合できないため、作業者は、上部ピボット軸４５が支持具３０の軸受穴３５に嵌合不全の状態であることに気付くことができ、その結果、この吊り込みミスが原因で上部ピボット軸４５と支持具３０の軸受穴３５の嵌め合いが外れて開き扉Ｄが扉枠Ｆから落下するなどの不具合の発生を未然に防止することができる。
【００３３】
ところで、例えば図１４に示した従来の上吊り金具のように、抜け止め具６の上面に有する外れ止め溝６ｂの溝幅ｗ´が上部ピボット軸ｐの首部１ｂを係合できる程度に大きいと、開き扉ｄの吊り込み時、頭部１ａを支持具ｂの軸受穴５に嵌合させてから上部ピボット軸ｐを抜け止めするために、抜け止め具６を支持具ｂの支持板部４ｂに装着するとき、誤って係止溝６ａのある下面と外れ止め溝６ｂのある上面とを逆向きに装着しようとしても、外れ止め溝６ｂには上部ピボット軸ｐの首部１ｂも係合できるので、作業者は、抜け止め具６が外れ止め溝６ｂの対向溝縁に有した一対の掛止突起７を支持板部４ｂ上のストッパ部８に掛け止めた外れ止め状態で支持具ｂの支持板部４ｂに装着していないことに気付かず、その結果、開き扉ｄが衝撃で振動したりすると、この装着ミスが原因で、抜け止め具６が支持具ｂの支持板部４ｂから外れてしまうことがある。
【００３４】
しかし、本発明の上吊り金具Ａ２は、開き扉Ｄの吊り込み時、頭部４４ａを支持具３０の軸受穴３５に嵌合させてから抜け止め具５０を支持具３０の支持板部３０ｂに装着して上部ピボット軸４５を抜け止めするときに、たとえ誤って下面５０ａと上面５０ｂとを逆向きに装着しようとしても、上部ピボット軸４５の首部４４ｂには、上面５０ｂの外れ止め溝６５ではなく下面５０ａの係止溝６０が係合するように、抜け止め具５０の上面５０ｂに有する外れ止め溝６５の入口側の溝幅Ｗ´は、上部ピボット軸４５の首部４４ｂの軸径Ｎより小さいことから、外れ止め溝６５に首部４４ｂを係合できないため、作業者は、抜け止め具５０が外れ止め溝６５に支持板部４ｂ上のストッパ部３３が係合した外れ止め状態で支持板部３０ｂに装着していないミスに気付くことができ、その結果、開き扉Ｄが衝撃で振動したりすると、この装着ミスが原因で、抜け止め具５０が支持具３０の支持板部３０ｂから外れるのを未然に防止することができる。
【符号の説明】
【００３５】
Ａ                軸釣装置
Ａ１              下吊り金具
Ａ２              上吊り金具
Ｄ                開き扉
Ｆ                扉枠
１５              下部ピボット軸
３０              支持具
３０ａ            取付板部
３０ｂ            支持板部
３３              ストッパ部
３５              軸受穴
３９              軸筒
４０              枢着具
４４              上部ピボット軸の先端
４４ａ            頭部
４４ｂ            首部
４４ｃ            抜け止め顎部
４５              上部ピボット軸
５０              抜け止め具
６０              係止溝
６５              外れ止め溝
【図１】
2012132150.tif 000003
【図２】
2012132150.tif 000004
【図３】
2012132150.tif 000005
【図４】
2012132150.tif 000006
【図５】
2012132150.tif 000007
【図６】
2012132150.tif 000008
【図７】
2012132150.tif 000009
【図８】
2012132150.tif 000010
【図９】
2012132150.tif 000011
【図１０】
2012132150.tif 000012
【図１１】
2012132150.tif 000013
【図１２】
2012132150.tif 000014
【図１３】
2012132150.tif 000015
【図１４】
2012132150.tif 000016
【図１５】
2012132150.tif 000017
【手続補正書】
【提出日】平成24年1月16日(2012.1.16)
【手続補正１】
【補正対象書類名】特許請求の範囲
【補正対象項目名】請求項１
【補正方法】変更
【補正の内容】
【請求項１】
上下のヒンジ部に備えたピボット軸を支点として扉枠に開き扉を回動可能に軸釣する軸釣装置の前記上ヒンジ部を構成する上吊り金具であって、先端に有する頭部と首部との間の外周に抜け止め顎部を突設した上部ピボット軸を、弾発付勢して開き扉の上端に埋設した軸筒に進退自在に挿設し先端が突出した状態で把持する開き扉側の枢着具と、該枢着具と対応する前記扉枠に固定する支持具とからなり、該支持具に有した軸受穴に前記頭部を嵌合して開き扉を扉枠に軸釣するとき、前記支持具に抜け止め具を装着して該抜け止め具に有した係止溝に前記首部を係止し、前記抜け止め顎部を前記支持具と前記抜け止め具間に挟んで前記上部ピボット軸を抜け止めする軸釣装置の上吊り金具において、
前記抜け止め具は、前記上部ピボット軸の頭部の軸径をＨ、首部の軸径をＮ、前記抜け止め具の係止溝の溝幅をＷとした場合に、該係止溝を、その溝幅が入口から前記首部を係止する奥側まで一定のＨ＞Ｗ≧Ｎとなるように形成してなることを特徴とする、軸釣装置の上吊り金具。
【手続補正２】
【補正対象書類名】明細書
【補正対象項目名】０００８
【補正方法】変更
【補正の内容】
【０００８】
そこで、請求項１に記載の発明は、たとえば以下に示す図示実施の形態のとおり、上下のヒンジ部に備えたピボット軸１５・４５を支点として扉枠Ｆに開き扉Ｄを回動可能に軸釣する軸釣装置Ａの前記上ヒンジ部を構成する上吊り金具Ａ２であって、先端４４に有する頭部４４ａと首部４４ｂとの間の外周に抜け止め顎部４４ｃを突設した上部ピボット軸４５を、弾発付勢して開き扉Ｄの上端に埋設した軸筒３９に進退自在に挿設し先端４４が突出した状態で把持する開き扉側の枢着具４０と、該枢着具４０と対応する前記扉枠Ｆに固定する支持具３０とからなり、該支持具３０に有した軸受穴３５に前記頭部４４ａを嵌合して開き扉Ｄを扉枠Ｆに軸釣するとき、前記支持具３０に抜け止め具５０を装着して該抜け止め具５０に有した係止溝６０に前記首部４４ｂを係止し、前記抜け止め顎部４４ｃを前記支持具３０と前記抜け止め具５０間に挟んで前記上部ピボット軸４５を抜け止めする軸釣装置Ａの上吊り金具Ａ２において、前記抜け止め具５０は、前記上部ピボット軸４５の頭部４４ａの軸径をＨ、首部の軸径をＮ、前記抜け止め具５０の係止溝６０の溝幅をＷとした場合に、該係止溝６０を、その溝幅が入口から前記首部４４ｂを係止する奥側まで一定のＨ＞Ｗ≧Ｎとなるように形成してなることを特徴とする。